(57)【要約】【課題】低コストかつ少ない組み立て労力によって製造可能であるフィーダを提供する。【解決手段】フィーダが２枚の側方プレート（４，５）およびそれらを結合するトラバース（６，７，８）を有するケース部材（２）を備えている。前記側方プレート（４，５）上に取り付けられている少なくとも１本のシャフト（１１，１２，１３）が印刷物を引き出しおよび搬送する。ケース部材（２）は、両方の側方プレート（４，５）とトラバース（６，７，８）からなる一部品型の基礎枠台（３）を有している。少なくとも１本のシャフト（１１，１２，１３）を支承するために少なくとも一方の側方プレート（４，５）上に位置決め手段（１９，２０）が配置されている。基礎枠台（３）は、シャフト（１１，１２，１３）を外側から挿入しまた交換することができるよう開口部（３５−３８）を備えている。【選択図】図１
2008033325.tif 000002
【特許請求の範囲】
【請求項１】
２枚の側方プレート（４，５）およびそれらを結合するトラバース（６，７，８）を有するケース部材（２）と、前記側方プレート（４，５）上に取り付けられていて印刷物を引き出しおよび搬送するための少なくとも１本のシャフト（１１，１２，１３）を備えるフィーダであり、ケース部材（２）が一部品型の基礎枠台（３）を有し、少なくとも１枚の側方プレート（４，５）上に少なくとも１本のシャフト（１１，１２，１３）を支承するあるいはそれを交換するための位置決め手段（１９，２０）を配置することを特徴とするフィーダ。
【請求項２】
基礎枠台（２）は板材、樹脂、あるいは鋳造材によって製造することを特徴とする請求項１記載のフィーダ。
【請求項３】
両方の側方プレート（４，５）とトラバース（６，７，８）が互いに溶接されていることを特徴とする請求項１または２記載のフィーダ。
【請求項４】
少なくとも１枚の側方プレート（４，５）が少なくとも１本のシャフト（１１，１２，１３）を挿入するための開口部（３５，３６，３７，３８）を有することを特徴とする請求項１ないし３のいずれかに記載のフィーダ。
【請求項５】
少なくとも１つの開口部（３５，３６，３７，３８）がスロットとして形成されることを特徴とする請求項４記載のフィーダ。
【請求項６】
少なくとも１つの開口部（３５，３６，３７，３８）がスロットとして形成され、それが側方プレート（４，５）の一縁部上で開口していることを特徴とする請求項５記載のフィーダ。
【請求項７】
少なくとも１枚の側方プレート（４，５）が位置決め手段（１９，２０）を固定する手段（３９，４０）を有することを特徴とする請求項１ないし６のいずれかに記載のフィーダ。
【請求項８】
位置決め手段（１９，２０）は板材（１９）として形成されることを特徴とする請求項１ないし７のいずれかに記載のフィーダ。
【請求項９】
少なくとも一方の側方プレート（５）上に制御機構（３２）および／または少なくとも１つの入力手段（３０）が配置されていることを特徴とする請求項１ないし８のいずれかに記載のフィーダ。
【請求項１０】
折り畳みフィーダ、丁合機用のフィーダ、同封物フィーダ、または商品あるいはラベルを貼り付けるためのフィーダであることを特徴とする請求項１ないし１０のいずれかに記載のフィーダ。
【発明の詳細な説明】
【技術分野】
【０００１】
この発明は、２つの側方プレートおよびそれらを結合するトラバースを有するケース部材と、前記側方プレート上に取り付けられていて印刷物を引き出しおよび搬送するための少なくとも１本のシャフトを備えるフィーダに関する。この種のフィーダは印刷業界において久しい以前から知られており多様な機能のために使用されている。これは例えば、丁合機の装填に使用され、その際印刷紙葉は直立あるいは水平状態の積重ね体から取り出される。また、カードあるいは商品見本を貼り付けるために丁合機内の任意の場所で使用することができる。さらに、この種のフィーダは例えば新聞あるいは雑誌中に内包物を挿入するよう機能する。いずれの場合においてもフィーダにはその能力および動作安全性の点に関して高い性能が要求される。またこれは大量生産されることもあるため、低コストかつ簡便に製造および組み立て可能であることが必要になる。
【背景技術】
【０００２】
前述した種類のフィーダの一例がスイス国特許出願公開第４９３３３７号Ａ明細書（特許文献１）によって知られている。それによれば、把持機構によって印刷紙葉を積重ね体から取り出し、その際スプレッダ機構によって開いてフィンの上に投下しさらにその後搬送ベルト上に投下する。把持およびスプレッダ機構は、側方プレート上に支承されたシャフト上に存在している。各側方プレートはトラバースによって結合されている。
【０００３】
欧州特許第１２３１１７６号明細書（特許文献２）には、印刷物を搬送路に給入するフィーダが開示されている。積重ね体から印刷物を取り出すために、枠台の２枚の側方プレート上にシャフトが取り付けられており、その上に把持盤が回転ずれしないように取り付けられている。把持盤上には積重ね体から印刷物を取り出すためのグリッパが配置されている。
【０００４】
【特許文献１】スイス国特許出願公開第４９３３３７号Ａ明細書
【特許文献２】欧州特許第１２３１１７６号明細書
【発明の開示】
【発明が解決しようとする課題】
【０００５】
従って本発明の目的は、低コストかつ少ない組み立て労力によって製造可能であるフィーダを提供することである。
【課題を解決するための手段】
【０００６】
前記の課題は、本発明に係るフィーダによって、ケース部材が一部品型の基礎枠台を有し、少なくとも１枚の側方プレート上に少なくとも１本のシャフトを取り付けるあるいはそれを交換するために位置決め手段を配置することによって解決される。
【０００７】
本発明に係るフィーダによれば、従来のように各側方プレートがトラバースによって相互に結合されるのではなく、特に溶接によって、取り外し不可能に結合される。それによって基礎枠台すなわちケース部材がより少ない継ぎ目を有するものとなりネジ留めされたケース部材に比べて著しく安定したものとなる。シャフトの取り付けおよび交換が可能になるように、ケース上におけるシャフトの取り付けは少なくとも１枚の側方プレート上に固定された位置決め手段によって実施される。この基礎枠台は例えば金板、樹脂、あるいは精密鋳造によって低コストに製造することができる。特に、基礎枠台を比較的薄い金板によって自律直立保持式かつ高い剛性をもって製造可能であることが判明した。さらにこの種の基礎枠台は高い生産個数で低コストに製造可能である。１本あるいは複数のシャフトを外側から挿入可能であるため、簡便かつ迅速な組み立てが実現する。従来のようにシャフトの交換に際して側方プレートおよびトラバースを分解してその後再びネジ付けする必要がなくなる。
【０００８】
本発明の一追加構成形態によれば、少なくとも１枚の側方プレートがシャフトを挿入するための開口部を有している。本発明の追加構成によればこの開口部はスロットからなる。このスロットが側方プレートの一縁部上で開放されていれば、シャフトの組み立ておよび交換が極めて容易になる。このスロットは下方の縁部で開放されていれば好適である。１本あるいは複数のシャフトは下方からケース部材あるいは基礎枠台内に挿入することができる。
【０００９】
本発明の一追加構成によれば、位置決め手段として一方の側方プレート上に固定された位置決め板が設けられる。この位置決め板は同時にシャフトを支承するよう機能する。
【００１０】
本発明の一追加構成によれば、一方の側方プレート上に２枚の位置決め板が固定されている。好適にはそれらの位置決め板のうちの一方がいわゆるＡシャフトを位置決めするよう機能し、別の位置決め板はＢおよび／またはＣシャフトを位置決めするよう機能する。
【００１１】
本発明の一追加構成によれば、側方プレートの一方が箱形状に形成され、制御機構を収容して操作要素ならびにコントローラを固定するよう作用する。
【００１２】
その結果、大量生産においても低コストに製造ならびに組み立てることができ、高い動作安全性を達成することができる。さらに重要な利点は、使用場所において構成部品特にシャフトを比較的簡単に交換し得ることである。
【００１３】
本発明のその他の好適な特徴は、従属請求項ならびに以下に記述する詳細な説明および添付図面によって明らかにされる。
【発明を実施するための最良の形態】
【００１４】
次に、本発明の実施例について、添付図面を参照しながら以下詳細に説明する。
【００１５】
フィーダ１はケース部材２を備えており、その中にＡシャフト１１、Ｂシャフト１２ならびにＣシャフト１３が取り付けられている。図１に示されているようにそれらは駆動機構１５によって駆動され、その駆動機構はギアベルトからなる駆動要素２１を備えており、そのギアベルトは駆動されたギアベルトプーリ２３に掛けられているとともに、ギアベルトプーリ２２を介してＡシャフト１１と、ギアベルトプーリ２５を介してＢシャフト１２と、さらにギアベルトプーリ２６を介してＣシャフト１３と結合されている。駆動要素２１を締め付けるためにラグ３４上にギアベルトプーリ２４が摺動可能に取り付けられている。ケース部材２上にはさらに引き出された紙葉を誘導するためのガイド要素１４および１６と、ストッパ要素１７と、転轍装置１８が取り付けられている。前記のシャフト１１，１２および１３ならびに枠台２上に配置および取り付けられたその他の部材は周知のものであるためその詳細な説明は省略する。それらはフィーダの種類に応じて別の構成とするかあるいは削除することができる。例えば１本のシャフトのみを設けるか、あるいは３本より多いシャフトを設ける実施形態も考えられる。
【００１６】
ケース部材２は一部品式に形成された基礎枠台３を備えている。第１の側方プレート４と第２の側方プレート５が設けられ、それらは第１のトラバース６と第２のトラバース７ならびに第３のトラバース８を介して相互に結合されている。両方の側方プレート４および５は特に、トラバース６，７および８と溶接されている。側方プレート４および５とトラバース６，７および８の間にはその他の結合方式も考えられる。例えばこれらの部材を接着によって相互に結合することができる。原則的に樹脂あるいは精密鋳造物による構成も可能である。特に、基礎枠台３は比較的薄い板材、好適には金属板から製造することができる。側方プレート４および５を強化するために、これらに折り返し部９または１０が設けられる。第２の側方プレート５の折り返し部１０は、図２に示されているようにアタッチメント４２を収容し得るように形成されており、このアタッチメントは図示されていない側方蓋部材によって箱体３１を形成している。アタッチメント４２内には入力手段３０ならびにその他の操作手段が取り付けられている。箱体３１内にはさらに制御機構３２が収容されている。この箱体３１内にはさらにコントローラ等のその他の要素を収容することができる。全面側に配置され取り外し可能となっている全面板２７によってトラバース７と８の間の開口部が遮蔽されている。
【００１７】
図示されていない印刷物を給入するためにケース部材２は上側に積重ね体支持台２８を備え、その上に摺動可能なストッパ４３が配置されている。さらにケース部材２上にテーブル２９が旋回可能に配置されている。
【００１８】
シャフト１１，１２および１３を取り付けおよび交換するために、第１の側方プレート４が長いスロット３５と短いスロット３６を備えている。長いスロット３５およびにそれに対向しているスロット３８ならびに円形の開口部４１がＡシャフトおよびＢシャフトを収容するように機能する。短いスロット３６およびそれに対抗しているスロット３７はＣシャフト１３を収容するよう機能する。さらに、これらのシャフト１１ないし１３を取り付けるために第１の側方プレート４上に上方位置決め板１９と下方位置決め板２０が固定されている。これらの位置決め板１９および２０は例えば第１の側方プレート４上にネジ留めされ、そのための適宜な孔部３９が設けられている。シャフト１１ないし１３のための図示されていない回転軸受けが、第２の側方プレート５上のスロット３７および３８ならびに開口部４１の領域に設けられている。これらの部材をネジ留めするためにも適宜な孔部４０が設けられている。さらに、第１の側方プレート４内に駆動機構１５のための開口部３３が設けられている。
【００１９】
図示されていないシャフト１１の端部を開口部４１内に挿入しもう一方の端部を上方位置決め板１９によってスロット３５内に下方から挿入して上方に推進することによって、シャフト１１が取り付けられる。位置決め板１９は側方プレート４上の予め設定された位置に固定され、例えばネジ留めされる。位置決め板１９によって第１の側方プレート４が追加的に強化される。さらに第２の側方プレート５上には図示されていないＡシャフト１１の支承要素が固定されている。
【００２０】
このＢシャフト１２も下方から基礎枠台３内に挿入される。Ｂシャフト１２の一端部はスロット３８を介して、他方の端部はスロット３５を介して挿入される。第１の側方プレート４上でのＢシャフト１２の支承は縦長の下方位置決め板２０によって実施され、これは図５に示されているように下方に開口したスロット４４を備えている。Ｃシャフト１３の取り付けも同様な方式で実施される。そのためにスロット３６および３７、ならびに下方の位置決め板２０のスロット４５が設けられている。交換に際してＢシャフト１２およびＣシャフト１３は簡便な方式で取り外すことができる。Ａシャフト１１の交換のためにまずＢシャフト１２が取り外され、その後上方の位置決め板１９が解除される。従ってシャフト１１，１２および１３の組み立ておよび交換は、基礎枠台３を変更することなく実施することができる。その結果自立式基礎枠台３の安定性が常に維持される。
【図面の簡単な説明】
【００２１】
【図１】本発明に係るフィーダを示す立体図であり、明瞭化のために側方カバーが省略されている。
【図２】本発明に係るフィーダを示す別の立体図であり、明瞭化のために側方部材が省略されている。
【図３】基礎枠台を示す立体図である。
【図４】基礎枠台を示す別の立体図である。
【図５】本発明に係るフィーダを示す立体図であり、個別の構成部品が分解されている。
【符号の説明】
【００２２】
１  フィーダ
２  ケース部材
３  基礎枠台
４，５  側方プレート
６，７，８  トラバース
９，１０  折り曲げ部
１１  Ａシャフト
１２  Ｂシャフト
１３  Ｃシャフト
１４，１６  ガイド要素
１５  駆動機構
１７  ストッパ要素
１８  転轍装置
１９，２０  位置決め板
２１  駆動要素
２２，２３，２４，２５，２６  歯車
２７  前面板
３０  入力手段
３１  箱体
３４  ラグ
３５，３６，３７，３８，４４，４５  スロット
３３，４１  開口部
３９，４０  孔部
４２  アタッチメント
【図１】
2008033325.tif 000003
【図２】
2008033325.tif 000004
【図３】
2008033325.tif 000005
【図４】
2008033325.tif 000006
【図５】
2008033325.tif 000007